(57)【要約】【課題】  作業員の技能によることなく、難着雪型の絶縁電線の被覆に設けられるヒレを容易且つ正確に剥ぎ取り、作業性を向上することが可能なヒレ剥ぎ取り工具およびヒレ剥ぎ取り方法を提供することを目的とする。【解決手段】  本発明にかかるヒレ剥ぎ取り工具の構成は、芯線１１２と、芯線を覆う被覆１１４と、被覆の外周に母線に沿って立設されるリブ状のヒレ１１４ａと、を備えた難着雪型の絶縁電線１１０のヒレを剥ぎ取るためのヒレ剥ぎ取り工具２００であって、絶縁電線を挟持する第１挟持部材２１０および第２挟持部材２３０を備え、第１挟持部材または第２挟持部材の少なくとも一方は、被覆の外周に当接する摺動面２１２および２３２と、摺動面上に設けられヒレを挿通しうる溝部２１４および２３４と、溝部内に刃先が露出するよう配置された切削刃２１６および２３６と、を有することを特徴とする。【選択図】  図４
2010178423.tif 000002
【特許請求の範囲】
【請求項１】
芯線と、該芯線を覆う被覆と、該被覆の外周に母線に沿って立設されるリブ状のヒレと、を備えた難着雪型の絶縁電線の該ヒレを剥ぎ取るためのヒレ剥ぎ取り工具であって、
前記絶縁電線を挟持する第１挟持部材および第２挟持部材を備え、
前記第１挟持部材または前記第２挟持部材の少なくとも一方は、
前記被覆の外周に当接する摺動面と、
前記摺動面上に設けられ前記ヒレを挿通しうる溝部と、
前記溝部内に刃先が露出するよう配置された切削刃と、
を有することを特徴とするヒレ剥ぎ取り工具。
【請求項２】
前記第１挟持部材と連結された第１把持部材と、
前記第２挟持部材と連結された第２把持部材と、
前記第１挟持部材および前記第２把持部材に接続され、該第１挟持部材および前記第２挟持部材を前記絶縁電線を挟持する方向に付勢する弾性部材と、
を更に備え、
前記第１把持部材および前記第２把持部材を把持し、該第１把持部材と該第２把持部材との間隔を所定間隔より狭めることにより、前記第１挟持部材と前記第２挟持部材とが離隔することを特徴とする請求項１に記載のヒレ剥ぎ取り工具。
【請求項３】
当該ヒレ剥ぎ取り工具を前記絶縁電線に沿って牽引するための牽引部材を更に備えることを特徴とする請求項１に記載のヒレ剥ぎ取り工具。
【請求項４】
前記第１挟持部材と前記第１把持部材とを連結する第１連結部材と、
前記第２挟持部材と前記第２把持部材とを連結する第２連結部材と、
を更に備え、
前記第１把持部材は前記第１連結部材に立設された軸に、前記第２把持部材は前記第２連結部材に立設された軸に、各々回転可能に取り付けられていることを特徴とする請求項２に記載のヒレ剥ぎ取り工具。
【請求項５】
前記第１挟持部材または前記第２挟持部材の少なくとも一方は、
剥ぎ取られた前記ヒレを収容する収容空間と、
前記切削刃の前記絶縁電線と対向しない面側に設けられ、前記溝部と前記収納空間とを連結する間隙と、
前記第１挟持部材および前記第２挟持部材各々に着脱可能であり、前記収容空間を覆う被覆部材と、
を更に備えることを特徴とする請求項１に記載のヒレ剥ぎ取り工具。
【請求項６】
前記摺動面は、凹状であることを特徴とする請求項１に記載のヒレ剥ぎ取り工具。
【請求項７】
難着雪型の絶縁電線の被覆が有するヒレを剥ぎ取るためのヒレ剥ぎ取り方法であって、
切削刃と、該切削刃の刃先が内部に露出する溝部と、を有し、前記絶縁電線を挟持する第１挟持部材および第２挟持部材と、を備えるヒレ剥ぎ取り工具を用い、
前記第１挟持部材と前記第２挟持部材により前記絶縁電線を挟持し、
前記溝部に前記ヒレを挿通し、
前記ヒレ剥ぎ取り工具を前記絶縁電線に沿って移動させることで前記ヒレを前記切削刃により剥ぎ取ることを特徴とするヒレ剥ぎ取り方法。
【発明の詳細な説明】
【技術分野】
【０００１】
本発明は、難着雪型の絶縁電線の被覆が有するヒレを剥ぎ取るためのヒレ剥ぎ取り工具およびヒレ剥ぎ取り方法に関するものである。
【背景技術】
【０００２】
電気事業者の発電所で発電され変電所で変電された電気は、電柱に張架されている高圧線を通じて需要家に供給される。かかる高圧線には高圧引き下げ線が接続され、高圧カットアウトを介して変圧器（柱上変圧器とも呼ばれる）に接続される。そして、電気は、変圧器によって、送電された時の電圧（例えば６６００Ｖ）が、需要家で使用する電圧（例えば１００Ｖまたは２００Ｖ）に変圧され、引込み線を通じて需要家に供給される。
【０００３】
上記の高圧線には、ポリエチレン絶縁電線（以下、絶縁電線と称する。）が使用されており、導体には銅やアルミの芯線が、絶縁体にはポリエチレンの被覆が用いられている。かかる絶縁電線には様々な種類があり、その１つとして難着雪型絶縁電線がある。
【０００４】
降雪量が多い地域等において通常の絶縁電線を使用した場合、絶縁電線上に雪が積もり、積もった雪は被覆の外周に沿って電線の下まで回りこむ。そして、絶縁電線全体が雪に覆われた状態となり、絶縁電線を覆った雪の上に更に雪が積もりやすくなる。その結果、絶縁電線上に膨大な量の雪が積もり、その雪の荷重や風圧による荷重により、絶縁電線の破断や、かかる絶縁電線を張架する電柱の倒壊という事態が起こってしまう。
【０００５】
そこで、難着雪型絶縁電線は、被覆の外周に、母線に沿ってリブ状のヒレが立設されている。これにより、ヒレより下の部分への雪の回り込みを防ぐことができ、絶縁電線のヒレより上の部分に積もった雪は、ある程度の量に達すると地上に落下する。したがって、絶縁電線上に膨大な量の雪が積もることを防止し、雪の荷重や風圧荷重による断線や電柱の倒壊を防ぐことが可能となる。
【０００６】
ところで、上述したように高圧線を通じて需要家に電気を供給するためには、高圧線に高圧引き下げ線を接続する配電線工事をしなければならない。しかし、工事の際に電気を遮断すると、停電が発生し、需要家に不便が生じてしまう。したがって、配電線工事は、電線に電気が流れた（通電した）状態で作業する活線工法により行われる。これにより、工事中であっても停電が発生しないため、需要家の利便性を低下させることがない。
【０００７】
上記の活線工法は、従来では直接活線工法が主流となっていた。直接活線工法では、作業者は、通電している高圧線に直接触れて作業を行う。このため、作業者の感電災害が発生するリスクが大きい。したがって、安全を確保するために、作業員は、感電を防止するための絶縁加工が施された保護具（例えば防護手袋等）を着用し、高圧線の充電部には防護具を装着する。
【０００８】
しかし、保護具を着用し、防護具を装着したとしても、災害の発生を回避しきれるとは限らない。例えば、保護具や防護具が破損していた場合等には作業者のリスクが増大してしまう。このため、近年では直接活線工法に替えて間接活線工法が主流になりつつある。
【０００９】
間接活線工法では、作業者は、絶縁加工が施された、間接活線工法専用の操作棒を用い、絶縁電線（高圧線）の近接範囲外から高圧線に直接触れずに作業を行う。このため、作業者の感電災害のリスクを極めて少なくすることができる。またこれにより、作業者は保護具を装着する必要がなくなるため、使用者の負担を軽減することができ、且つ充電部への防護具の装着が不要となるため、作業時間を短縮することも可能となる。
【００１０】
上記の間接活線工法専用の操作棒として、例えば特許文献１には、被把持物を把持する開閉可能な把持具と、把持具を先端に装備して把持具を作業位置に位置決めするための絶縁操作棒と、把持具を開閉させる操作レバーを絶縁操作棒の基端側に揺動可能に装備した操作部と、を備える間接活線把持工具が開示されている。このような工具を用いることにより、高圧線の近接範囲外から作業を行うことができ、上述した利点を得ることが可能となる。
【００１１】
また例えば特許文献２には、操作軸と、この操作軸に連動して回転するコマ受けと、コマ受けのノブに揺動可能に遊設された電線コマとを有し、電線コマは、内面に螺旋状突起が形成された電線挿通孔と、電線挿通孔内に臨出して電線の被覆層を剥離除去するための刃体とを備える電線被覆の皮むき工具が開示されている。これによれば、間接活線工法において絶縁電線の被覆を容易に剥ぎ取ることが可能となる。
【先行技術文献】
【特許文献】
【００１２】
【特許文献１】特開平１１−２０５９２９号公報
【特許文献２】特開平８−０１６３７４０号公報
【発明の概要】
【発明が解決しようとする課題】
【００１３】
上述した高圧線に高圧引き下げ線を接続する配電線工事を行う場合、特許文献２のような工具を用いて高圧線の被覆を剥ぎ取り、露出した高圧線の芯線と、予め端部の被覆を剥ぎ取ることにより露出させた高圧引き下げ線の芯線とを、コネクタを用いて接続する。そして、接続部分および接続部分周辺に絶縁テープを巻きつけ、接続部分への水等の浸入を防止する。
【００１４】
しかし、上記の高圧線が難着雪型絶縁電線であった場合、絶縁テープを巻きつける際に接続部分周辺にヒレが残っていると、ヒレにより絶縁テープと絶縁電線の間に隙間が形成される。これにより、かかる隙間から水が浸入するおそれが生じるため、隙間が形成されないよう、絶縁テープを巻きつける前にヒレを剥ぎ取る必要がある。
【００１５】
しかしながら、ヒレを剥ぎ取る作業に適した工具は開発されておらず、現状では電工ナイフでヒレを剥ぎ取っている。特に間接活線工法の場合は、上述した操作棒の先端にナイフ工具を取り付け、これを用いてヒレを剥ぎ取る作業を行っている。したがって、その作業性は、間接活線工法専用の工具を用いることができる他の作業よりも著しく低い。
【００１６】
特に、ヒレを剥ぎ取る作業は、絶縁電線の被覆全体を剥ぎ取る作業と比べ、剥ぎ取る部分の面積が極めて小さい。このため、風等による電線の僅かな振動であっても、剥ぎ取る対象となるヒレの位置がぶれやすい。またヒレの向きは施設場所や施設状況によって異なり、更に絶縁電線に捻れが生じている場合もある。この場合、作業者は、工具の向きや自身の体勢を頻繁に変えながら作業を行わなくてはならない。したがって、ヒレを剥ぎ取る作業には熟練を要し、作業結果の良し悪しは作業員の技能の影響を受けやすい。
【００１７】
本発明は、このような課題に鑑み、特に間接活線工法を用いる場合において、作業員の技能によることなく、難着雪型の絶縁電線の被覆に設けられるヒレを容易且つ正確に剥ぎ取り、作業性を向上することが可能なヒレ剥ぎ取り工具およびヒレ剥ぎ取り方法を提供することを目的としている。
【課題を解決するための手段】
【００１８】
上記課題を解決するために、本発明にかかるヒレ剥ぎ取り工具の代表的な構成は、芯線と、芯線を覆う被覆と、被覆の外周に母線に沿って立設されるリブ状のヒレと、を備えた難着雪型の絶縁電線のヒレを剥ぎ取るためのヒレ剥ぎ取り工具であって、絶縁電線を挟持する第１挟持部材および第２挟持部材を備え、第１挟持部材または第２挟持部材の少なくとも一方は、被覆の外周に当接する摺動面と、摺動面上に設けられヒレを挿通しうる溝部と、溝部内に刃先が露出するよう配置された切削刃と、を有することを特徴とする。
【００１９】
上記構成によれば、絶縁電線が第１挟持部材および第２挟持部材により挟持され、挟持された絶縁電線のヒレが第１挟持部材または第２挟持部材の少なくとも一方に設けられた溝部に挿通する。そして、溝部内に刃先が露出するよう配置された切削刃が設けられていることから、当該ヒレ剥ぎ取り工具を絶縁電線に沿って移動させることでヒレのみが切削刃によって剥ぎ取られる。これにより、当該ヒレ剥ぎ取り工具を絶縁電線に沿って移動させるという簡便な操作で、作業員の技能によることなく、ヒレのみを容易且つ正確に剥ぎ取ることが可能となる。その結果、特に間接活線工法におけるヒレ剥ぎ取り作業の作業性を向上することができる。
【００２０】
当該ヒレ剥ぎ取り工具は、第１挟持部材と連結された第１把持部材と、第２挟持部材と連結された第２把持部材と、第１挟持部材および第２把持部材に接続され、第１挟持部材および第２挟持部材を絶縁電線を挟持する方向に付勢する弾性部材と、を更に備え、第１把持部材および第２把持部材を把持し、第１把持部材と第２把持部材との間隔を所定間隔より狭めることにより、第１挟持部材と第２挟持部材とが離隔するとよい。
【００２１】
かかる構成では、第１把持部材および第２把持部材を把持していない場合、すなわちこれらを解放した状態では、第２挟持部材は、弾性部材により第１挟持部材と当接する方向（絶縁電線を挟持する方向）に付勢される。したがって、第１挟持部材と第２挟持部材とが当接した状態となっている。そして、ヤットコ等の操作工具を用いて、第１把持部材および第２把持部材をこれらの間隔を狭めるように把持すると、第１挟持部材と第２挟持部材とが離隔し、これらの間（離隔した空間）に絶縁電線を配置することができる。絶縁電線の配置後、第１把持部材および第２把持部材を解放すると、第２挟持部材は弾性部材により付勢され、絶縁電線は第１把持部材および第２把持部材により挟持される。
【００２２】
また上述したように、絶縁電線の配置後、第１把持部材および第２把持部材を解放すると、弾性部材の付勢により第１挟持部材と第２挟持部材とが絶縁電線を挟持するため、当該ヒレ剥ぎ取り工具は絶縁電線に掛着された状態となる。したがって、絶縁電線を挟持した後は当該ヒレ剥ぎ取り工具を操作工具等で固定する必要がない。これにより、ヒレ剥ぎ取り作業を１人の作業者のみで行うことが可能となり、人工に要するコストを削減することができる。
【００２３】
当該ヒレ剥ぎ取り工具は、かかる工具を絶縁電線に沿って牽引するための牽引部材を更に備えるとよい。
【００２４】
上記構成によれば、牽引部材をヤットコ等の操作工具を用いて把持する、または牽引部材にフック状の操作工具を引っ掛けることができ、これらの操作工具を用いて牽引部材を牽引し、当該ヒレ剥ぎ取り工具を絶縁電線に沿って移動させることが可能となる。これにより、当該ヒレ剥ぎ取り工具を、自体に直接力を加えることなく移動させることができるため、かかる力による工具の損傷を防止することが可能となる。また、牽引部材を牽引するだけで当該ヒレ剥ぎ取り工具を移動させることができるため、操作性を向上することが可能となり、作業効率の向上が図れる。
【００２５】
当該ヒレ剥ぎ取り工具は、第１挟持部材と第１把持部材とを連結する第１連結部材と、第２挟持部材と第２把持部材とを連結する第２連結部材と、を更に備え、第１把持部材は第１連結部材に立設された軸に、第２把持部材は第２連結部材に立設された軸に、各々回転可能に取り付けられているとよい。
【００２６】
かかる構成により、作業者は、当該ヒレ剥ぎ取り工具の設置位置を変えることなく、操作工具の角度を所望の角度に変更することが可能となる。したがって、作業者は操作工具を自身が作業しやすい角度に調節して作業を行うことができるため、作業者の負担を軽減し、作業効率の向上を図ることができる。
【００２７】
また絶縁電線が捻れている場合等、ヒレの向きが変化する場合においても、当該ヒレ剥ぎ取り工具に追従して第１把持部材および第２把持部材が回転するため、作業者は操作工具の向きや自身の体勢を頻繁に変えることなく作業を行うことが可能となる。
【００２８】
上記の第１挟持部材または第２挟持部材の少なくとも一方は、剥ぎ取られたヒレを収容する収容空間と、切削刃の絶縁電線と対向しない面側に設けられ、溝部と収納空間とを連結する間隙と、第１挟持部材および第２挟持部材各々に着脱可能であり、収容空間を覆う被覆部材と、を更に備えるとよい。
【００２９】
かかる構成によれば、切削刃により剥ぎ取られたヒレは、間隙を通過して収容空間に進入する。収容空間は被覆部材で覆われていることから、剥ぎ取られたヒレは、収容空間内に収納された状態となり、収容空間外へ出ることがない。したがって、剥ぎ取られたヒレの地上への落下を防ぐことができ、かかるヒレが地上に散乱しないため、作業後の清掃の手間を削減することが可能となる。
【００３０】
また被覆部材が第１挟持部材および第２挟持部材各々に着脱可能であることから、収容空間内が剥ぎ取られたヒレにより充塞されたら、被覆部材を取り外し、溜まったヒレを容易に除去し回収することが可能となる。
【００３１】
上記の摺動面は、凹状であるとよい。これにより、第１挟持部材および第２挟持部材により挟持された絶縁電線の被覆は、これらが有する凹状の摺動面に当接するため、絶縁電線をより確実に挟持することが可能となる。
【００３２】
上記課題を解決するために、本発明にかかるヒレ剥ぎ取り方法の代表的な構成は、難着雪型の絶縁電線の被覆が有するヒレを剥ぎ取るためのヒレ剥ぎ取り方法であって、切削刃と、切削刃の刃先が内部に露出する溝部と、を有し、絶縁電線を挟持する第１挟持部材および第２挟持部材と、を備えるヒレ剥ぎ取り工具を用い、第１挟持部材と第２挟持部材により絶縁電線を挟持し、溝部にヒレを挿通し、ヒレ剥ぎ取り工具を絶縁電線に沿って移動させることでヒレを切削刃により剥ぎ取ることを特徴とする。
【００３３】
上述したヒレ剥ぎ取り工具の技術的思想に基づく構成要素やその説明は、当該ヒレ剥ぎ取り方法にも適用可能である。
【発明の効果】
【００３４】
本発明によれば、作業員の技能によることなく、難着雪型の絶縁電線の被覆に設けられるヒレを容易且つ正確に剥ぎ取り、作業性を向上することが可能なヒレ剥ぎ取り工具およびヒレ剥ぎ取り方法を提供することができる。
【図面の簡単な説明】
【００３５】
【図１】配電線工事を行う現場を示す図である。
【図２】高圧線としての難着雪型の絶縁電線の詳細を示す図である。
【図３】接続部の詳細を示す図である。
【図４】本実施形態にかかるヒレ剥ぎ取り工具を示す図である。
【図５】本実施形態にかかるヒレ剥ぎ取り工具を示す図である。
【図６】図５（ｂ）の部分拡大図である。
【図７】切削刃の配置およびヒレの剥ぎ取りを示す図である。
【図８】切削刃の配置およびヒレの剥ぎ取りを示す図である。
【図９】第１把持部材および第２把持部材を説明する図である。
【図１０】当該工具の動作を示す図である。
【図１１】絶縁電線のヒレの位置の他の例を示す図である。
【図１２】第１把持部材および第２把持部材の回転動作を示す図である。
【発明を実施するための形態】
【００３６】
以下に添付図面を参照しながら、本発明の好適な実施形態について詳細に説明する。かかる実施形態に示す寸法、材料、その他具体的な数値などは、発明の理解を容易とするための例示にすぎず、特に断る場合を除き、本発明を限定するものではない。なお、本明細書及び図面において、実質的に同一の機能、構成を有する要素については、同一の符号を付することにより重複説明を省略し、また本発明に直接関係のない要素は図示を省略する。
【００３７】
図１は、配電線工事を行う現場を示す図である。図１に示すように、電柱１００には、高圧線として難着雪型の絶縁電線１１０が張架されており、かかる絶縁電線１１０（高圧線）によって発電所（図示せず）等で発電され変電所（図示せず）で変電された電気が送電されている。そして、絶縁電線１１０（高圧線）を流れる電気は、接続部１４０において高圧線に接続されて引き下げられる高圧引下用架橋ポリエチレン絶縁電線（ＰＤＣ：Plane transformer Drop wire Crosslinked polyethylene、以下、ＰＤ線１２０と称する）によって変圧器１３０に送電される。変圧器１３０は電柱１００に装柱されており、かかる変圧器１３０によって、送電された時の電圧、例えば６６００Ｖを、需要家で使用する電圧、例えば１００Ｖまたは２００Ｖに変圧する。
【００３８】
図２は、高圧線としての難着雪型の絶縁電線１１０の詳細を示す図である。図２（ａ）は絶縁電線１１０の側面図であり、図２（ｂ）は絶縁電線１１０の断面図である。図２（ａ）および（ｂ）に示すように、絶縁電線１１０（高圧線）は、導体である芯線１１２と、絶縁体である被覆１１４とから構成される。芯線１１２は、複数の導線を縒った縒線であり、被覆１１４に覆われている。かかる芯線１１２としては、銅やアルミニウムを好適に用いることができる。なお、図２に示す絶縁電線は芯線が縒線であるが、これに限定するものではなく、芯線は単線であってもよい。
【００３９】
被覆１１４は、ポリエチレンからなり、その外周に母線に沿って立設されるリブ状のヒレ１１４ａを備える。これにより、降雪時における、ヒレ１１４ａより下の部分への雪の回り込みを防ぐことができる。そして、ヒレ１１４ａより上の部分に積もった雪は、ある程度の量に達すると地上に落下するため、絶縁電線１１０（高圧線）上への過度の積雪を防止し、雪の荷重や風圧による荷重による、絶縁電線１１０の断線や電柱１００の倒壊を防ぐことが可能となる。
【００４０】
なお、図示は省略するが、高圧引き下げ線に用いられるＰＤ線１２０も、上述した高圧線に用いられる絶縁電線１１０と同様に芯線と被覆とから構成される。ただし、ＰＤ線１２０は、絶縁電線１１０（高圧線）に接続される際に垂直方向に張架されるため、積雪による損傷が生じにくい。したがって、ＰＤ線１２０の被覆にはヒレは設けられていない。
【００４１】
図３は、接続部１４０の詳細を示す図である。接続部１４０において絶縁電線１１０（高圧線）とＰＤ線１２０を接続する際には、まず、図３（ａ）に示すように絶縁電線１１０の被覆１１４を剥ぎ取り、芯線１１２を露出させ、かかる絶縁電線１１０に接続するＰＤ線１２０の端部の被覆１２４を剥ぎ取り、芯線１２２を露出させる。
【００４２】
そして、図３（ｂ）に示すように、コネクタ１５０を用いて絶縁電線１１０（高圧線）の芯線１１２とＰＤ線１２０の芯線１２２を接続する。図３（ｃ）は、コネクタ１５０の詳細を示す図である。図３（ｃ）に示すように、コネクタ１５０は、第１部材１５２、第２部材１５４およびナット１５６から構成され、かかるボルト１５２が有する挿入孔１５０ａに絶縁電線１１０の芯線１１２を、挿入孔１５０ｂにＰＤ線１２０の芯線１２２を挿入することができる。
【００４３】
その後、コネクタ１５０上（接続部分）と、絶縁電線１１０（高圧線）およびＰＤ線１２０の芯線１１２および１２２の露出している部分（接続部分周辺）にコネクタカバー１５８を被せ、コネクタカバー１５８の両端に絶縁テープ１６０を巻きつける。これにより、図３（ｄ）に示すように接続部１４０が形成される。
【００４４】
しかし、上述の如く絶縁電線１１０のヒレ１１４ａを剥ぎ取らずに接続部１４０を形成すると、接続部分周辺の絶縁電線１１０のヒレ１１４ａにより絶縁テープ１６０と被覆１１４（絶縁電線）の間に図３（ｄ）に示す隙間１６２が生じてしまう。これにより、接続部１４０の密封性が低下し、かかる隙間１６２から水等が浸入する可能性が生じる。接続部１４０への水等の浸入は芯線１１２および１２２の腐食の原因となり、芯線１１２および１２２が腐食すると断線が発生するおそれがある。このため、隙間１６２が生じることを防ぐべく、接続部１４０を形成する前に絶縁電線１１０のヒレ１１４ａを剥ぎ取る必要がある。しかし、現状においてヒレ１１４ａを剥ぎ取る作業には熟練を要し、作業結果の良し悪しは作業員の技能の影響を受けやすい。
【００４５】
したがって、以下の実施形態では、作業員の技能によることなく、難着雪型の絶縁電線１１０の被覆１１４に設けられるヒレ１１４ａを容易且つ正確に剥ぎ取り、作業性を向上することが可能なヒレ剥ぎ取り工具を提供することを目的とする。
【００４６】
図４および図５は、本実施形態にかかるヒレ剥ぎ取り工具を示す図である。図４はヒレ剥ぎ取り工具の正面斜視図であり、図５（ａ）はヒレ剥ぎ取り工具の背面図であり、図５（ｂ）はヒレ剥ぎ取り工具の側面図である。なお、図５（ａ）および（ｂ）では、理解を容易にするために、牽引部材の図示を省略している。
【００４７】
図４および図５に示すように、ヒレ剥ぎ取り工具２００（以下、単に工具２００と称する。）は、第１挟持部材２１０と、第２挟持部材２３０と、第１把持部材２６０と、第２把持部材２６２と、弾性部材２６４と、牽引部材２６６と、第１連結部材２７０と、第２連結部材２８０と、から構成される。
【００４８】
第１挟持部材２１０および第２挟持部材２３０は、絶縁電線１１０を挟持するための部材である。第１挟持部材２１０の後述する摺動面２１２を有する面と、第２挟持部材２３０の後述する摺動面２３２を有する面とが当接することより、絶縁電線１１０を挟持することが可能となる。
【００４９】
第１挟持部材２１０は、摺動面２１２と、溝部２１４と、切削刃２１６と、収容空間２１８と、間隙２２０と、被覆部材２２２と、留具２２４と、を有する。また第２挟持部材２３０は、摺動面２３２と、溝部２３４と、切削刃２３６と、収容空間２３８と、間隙２４０と、被覆部材２４２と、留具２４４と、を有する。以下、第１挟持部材２１０および第２挟持部材２３０が有する上記の部材の詳細について説明する。
【００５０】
摺動面２１２および２３２は、絶縁電線１１０（高圧線）の被覆１１４の外周に当接する。かかる摺動面２１２および２３２は凹状である。これにより、第１挟持部材２１０および第２挟持部材２３０が挟持した絶縁電線１１０の被覆１１４が、摺動面２１２および２３２に当接する面積を増大させ、絶縁電線１１０をより確実に挟持することが可能となる。
【００５１】
なお、本実施形態においては、摺動面２１２および２３２は円弧状の軌跡を描いている（図５（ｂ）参照）が、これに限定するものではない。摺動面２１２および２３２は凹状であれば足り、例えばその軌跡はコの字状であってもよい。
【００５２】
溝部２１４は摺動面２１２上に、溝部２３４は摺動面２３２上に設けられ、各々ヒレ１１４ａを挿通される。これにより、溝部２１４および２３４にヒレ１１４ａが嵌合した状態となり、絶縁電線１１０の摺動面２１２および２３２上での回転を防ぐことができる。したがって、絶縁電線１１０のヒレ１１４ａのみを的確に剥ぎ取ることが可能となる。
【００５３】
なお、溝部２１４および２３４の高さは、剥ぎ取る対象となるヒレ１１４ａの高さよりも高くなるよう、またはかかるヒレ１１４ａの高さと略等しくなるよう構成している。溝部２１４および２３４の幅は、剥ぎ取る対象となるヒレ１１４ａの幅よりも広くなるよう、またはかかるヒレ１１４ａの幅と略等しくなるよう構成している。これは、溝部２１４および２３４の高さがヒレ１１４ａの高さよりも低い場合、ヒレ１１４ａの剥ぎ取り残しが生じてしまい、溝部２１４および２３４の幅がヒレ１１４ａの幅よりも狭い場合、ヒレ１１４ａを溝部２１４および２３４に挿通できなくなってしまうからである。
【００５４】
図６は、図５（ｂ）の部分拡大図である。上述したように、第１挟持部材２１０の摺動面２１２を有する面と、第２挟持部材の摺動面２３２を有する面とが当接すると、摺動面２１２および２３２より、図６（ａ）に示す、絶縁電線１１０を挟持するための空間２５０（図６中、ハッチングで示す。）が形成される。
【００５５】
上記の空間２５０の高さｈは、高圧線として使用する、または使用されていると想定される絶縁電線１１０のうち、最も細い絶縁電線１１０の直径Ｒ１よりも短くなるよう、またはかかる直径Ｒ１と略等しくなるよう設定される。したがって、第１挟持部材２１０および第２挟持部材２３０の、摺動面２１２および２３２を有する面からかかる摺動面２１２および２３２までの深さは、最も細い絶縁電線１１０の半径よりも短くなるよう、またはかかる半径と略等しくなるよう構成されることとなる。これにより、ヒレ１１４ａを剥ぎ取る対象とする絶縁電線１１０が最も細い絶縁電線１１０であっても、図６（ｂ）に示すように絶縁電線１１０を確実に挟持することができる。
【００５６】
なお、摺動面２１２および２３２が形成する空間２５０の高さｈが、最も細い絶縁電線１１０の直径よりも長い、すなわち摺動面２１２および２３２の深さがかかる絶縁電線１１０の半径よりも長いことは好ましくない。この場合、図６（ｃ）に示すように絶縁電線１１０が有するヒレ１１４ａが溝部２１４および２３４に適切に挿通されなくなり、ヒレ１１４ａを的確に剥ぎ取ることが出来なくなってしまう。
【００５７】
また、本実施形態のように摺動面２１２および２３２が円弧状の軌跡を描く場合、摺動面が形成する空間２５０の曲率、すなわち円弧状の軌跡の曲率Ｘは、高圧線として使用する、または使用されていると想定される絶縁電線１１０のうち、最も太い絶縁電線１１０の外周の曲率Ｘ１よりも低くなるよう、またはかかる曲率Ｘ１と略等しくなるよう設定される。これにより、図６（ｄ）に示すように最も太い絶縁電線１１０を確実に挟持することが可能となる。
【００５８】
なお、摺動面２１２および２３２が形成する空間２５０の曲率が、最も太い絶縁電線１１０の外周の曲率よりも高い場合、図６（ｅ）に示すように最も太い絶縁電線１１０がかかる空間２５０に嵌らなくなってしまい、かかる絶縁電線１１０を確実に挟持できなくなってしまう。これにより、ヒレ１１４ａが溝部２１４および２３４に挿通しなくなってしまうため、ヒレ１１４ａを確実に剥ぎ取れなくなる。
【００５９】
図７および図８は、切削刃２１６の配置およびヒレ１１４ａの剥ぎ取りを示す図である。なお、第１挟持部材２１０と第２挟持部材２３０の構成は同様であるため、図７（ａ）、（ｂ）および図８（ｃ）では第１挟持部材２１０を図示して説明し、第２挟持部材２３０に属する部材の符号を付記する。
【００６０】
図７（ａ）に示すように、切削刃２１６（２３６）は、溝部２１４（２３４）内に刃先が露出するよう配置され、溝部２１４（２３４）に挿通されたヒレ１１４ａを剥ぎ取る。これにより、当該工具２００を絶縁電線１１０に沿って移動（摺動）させることでヒレ１１４ａのみを剥ぎ取ることができる。したがって、簡便な操作でヒレ１１４ａのみを容易且つ正確に剥ぎ取ることが可能となり、作業員の技能差による作業結果への影響を排除し、且つヒレ剥ぎ取り作業の作業性を向上することができる。
【００６１】
図７（ｂ）は、図７（ａ）の第１挟持部材２１０の断面図である。切削刃２１６（２３６）は、上述したようにその刃先が溝部２１４（２３４）内に露出するように配置されるが、かかる溝部２１４（２３４）内のうち、図７（ｂ）に示すように溝部２１４（２３４）と摺動面２１２（２３２）との略境界部分にその刃先が露出するよう配置されることが最も好ましい。これにより、絶縁電線１１０の被覆１１４に設けられたヒレ１１４ａを、かかる被覆１１４との境界から確実に剥ぎ取ることが可能となる。
【００６２】
収容空間２１８（２３８）は、切削刃２１６（２３６）によって剥ぎ取られ、間隙２２０（２４０）を通過して当該収容空間２１８（２３８）に進入したヒレ１１４ａを収容する。
【００６３】
間隙２２０（２４０）は、切削刃２１６（２３６）の絶縁電線１１０と対向しない面側に形成されている。間隙２２０（２４０）は、溝部２１４（２３４）と収納空間２１８（２３８）とを連結する。これにより、溝部２１４において切削刃２１６により剥ぎ取られたヒレ１１４ａを収納空間２１８（２３８）に案内することができる。
【００６４】
そして、図８（ａ）に示すように、第１挟持部材２１０および第２挟持部材２３０により絶縁電線１１０を挟持し、後述する牽引部材２６６を用いて当該工具２００を矢印の方向に移動させる。これにより、図８（ｂ）に示すように、当該工具２００が絶縁電線１１０に沿って摺動し、切削刃２１６および２３６によって剥ぎ取られた絶縁電線１１０のヒレ１１４ａが間隙２２０および２４０を通過して収容空間２１８および２３８に収容される。
【００６５】
被覆部材２２２（２４２）は、収容空間２１８（２３８）を覆うカバーである。これにより、収納空間２１８（２３８）が閉鎖されるため、剥ぎ取られたヒレ１１４ａが収容空間２１８（２３８）の外へ出ることがない。したがって、剥ぎ取られたヒレ１１４ａの地上への落下を防ぐことができ、かかるヒレ１１４ａの地上への散乱を回避することができる。このため、作業後の清掃の手間を削減することが可能となる。
【００６６】
また被覆部材２２２は第１挟持部材２１０に、被覆部材２４２は第２挟持部材２３０に各々に着脱可能である。したがって、収容空間２１８および２３８内が剥ぎ取られたヒレ１１４ａで充塞されたら（図８（ｂ）参照）、図８（ｃ）に示すように被覆部材２２２（２４２）を取り外して収容空間２１８（２３８）を開放し、溜まったヒレ１１４ａを容易に回収することができる。
【００６７】
留具２２４（２４４）は、被覆部材２２２（２４２）の第１挟持部材２１０（第２挟持部材２３０）からの脱着を防止するための部材である。かかる留具２２４は、水平方向（図８（ｃ）に示す矢印方向）に回転可能である。これにより、留具２２４（２４４）を図８（ｃ）に示す反時計回りの矢印方向に回転させると、留具２２４（２４４）は被覆部材２２２（２４２）上から移動し、被覆部材２２２（２４２）を第１挟持部材２１０（第２挟持部材２３０）から取り外すことができる。そして、取り外した被覆部材２２２（２４２）を第１挟持部材２１０（第２挟持部材２３０）に装着し、留具２２４（２４４）を図８（ｃ）に示す時計回りの矢印方向に回転させると、留具２２４（２４４）は被覆部材２２２（２４２）上に移動し、被覆部材２２２（２４２）の第１挟持部材２１０（第２挟持部材２３０）からの脱着が防止される。
【００６８】
なお、本実施形態においては、第１挟持部材２１０および第２挟持部材２３０の両方に上記説明した一連の部材を設けているが、これに限定するものではなく、上記説明した部材は、第１挟持部材２１０または第２挟持部材２３０の少なくとも一方に設けられていればよい。
【００６９】
図９は、第１把持部材２６０および第２把持部材２６２を説明する図であって、図９（ａ）は当該工具２００の分解斜視図である。第１把持部材２６０および第２把持部材２６２は、当該工具２００を把持するための部材である。第１把持部材２６０は、第１連結部材２７０により第１挟持部材２１０と連結されている。これにより、第１把持部材２６０と第１挟持部材２１０とが連動することが可能となる。
【００７０】
また、第１把持部材２６０の操作工具により把持される部分には、滑り止め２６０ａが設けられている。これにより、操作工具を用いてかかる第１把持部材２６０を確実に把持することができるため、操作性の向上を図ることができる。なお、本実施形態においては、滑り止め２６０ａとしてゴム製の部材を用いたがこれに限定するものではなく、樹脂製材料等、操作工具との摩擦力を増大させることが可能な材料であればよい。
【００７１】
第２把持部材２６２は、後述する第２連結部材２８０により第２挟持部材２３０と連結されている。これにより、第２把持部材２６２と第２挟持部材２３０とが連動することが可能となる。また第２把持部材２６２においても、第１把持部材２６０と同様に滑り止め２６２ａが設けられている。これにより、上述した利点を得ることができる。
【００７２】
そして第２連結部材２８０は第１連結部材２７０に対して、擦動可能に連結されており、第１挟持部材２１０と第２挟持部材２３０が離接する方向に相対的に移動することができる。第１連結部材２７０は第２連結部材２８０より長く、第１挟持部材２１０と第１把持部材２６０との間隔は、第２挟持部材２３０と第２把持部材２６２との間隔より広くなっている。したがって、第２挟持部材２３０および第２把持部材２６２は、第１挟持部材２１０と第１把持部材２６０の間に配置される。これにより、第１把持部材２６０と第２把持部材２６２を近づけると、第１挟持部材２１０と第２挟持部材２３０とが離隔する。
【００７３】
図９（ｂ）は、第１把持部材２６０および第２把持部材２６２を把持した状態を示す図である。図９（ｂ）に示すように、操作工具としてヤットコ３００を用いて、第１把持部材２６０と第２把持部材２６２との間隔を所定間隔（図５参照）より狭めるようにこれらを把持すると、第１挟持部材２１０と第２挟持部材２３０とが離隔し、これらの間（離隔した空間）に絶縁電線１１０を配置することができる。
【００７４】
弾性部材２６４（図４参照）は、第１挟持部材２１０および第２把持部材２６２に接続されており、第１挟持部材２１０および第２挟持部材２３０を、絶縁電線１１０を挟持する方向に付勢する。これにより、第１把持部材２６０および第２把持部材２６２を把持していない場合、すなわちこれらを解放している場合は、第２挟持部材２３０は、弾性部材２６４により第１挟持部材２１０と当接する方向（絶縁電線１１０を挟持する方向）に付勢され、第１挟持部材２１０と第２挟持部材２３０とが当接した状態となる（図５（ａ）および（ｂ）参照）。
【００７５】
牽引部材２６６は、当該工具２００を絶縁電線１１０に沿って牽引するための部材である。これにより、かかる牽引部材２６６をヤットコ３００等の操作工具を用いて把持する、または牽引部材２６６にフック状の操作工具を引っ掛けることができ、これらの操作工具を用いて牽引部材２６６を牽引し、当該工具２００を絶縁電線１１０に沿って移動させることが可能となる。したがって、当該工具２００を、自体に直接力を加えることなく移動させることができ、かかる力による工具２００の損傷が防止される。また、牽引部材２６６を牽引するだけで当該工具２００を移動させられることで、操作性を向上し、作業効率の向上を図ることができる。
【００７６】
図１０は、当該工具２００の動作を示す図である。上述した図５（ａ）および（ｂ）に示す状態から、ヤットコ３００等の操作工具（図示省略）を用いて、第１把持部材２６０および第２把持部材２６２をこれらの所定間隔を狭めるように把持すると、図１０（ａ）および（ｂ）に示すように、第１挟持部材２１０と第２挟持部材２３０とが離隔した状態となる。
【００７７】
そして、図１０（ｃ）および（ｄ）に示すように、第１挟持部材２１０と第２挟持部材２３０との間の空間に絶縁電線１１０を配置する。その後、第１把持部材２６０および第２把持部材２６２を解放すると、第２挟持部材２３０は弾性部材２６４により第１挟持部材２１０と当接する方向に付勢され、図１０（ｅ）および（ｆ）に示すように、絶縁電線１１０は第１把持部材２６０および第２把持部材２６２により挟持される。
【００７８】
その後、図１０（ｇ）に示すように、ヤットコ３００等の操作工具を用いて牽引部材２６６を牽引し、図１０（ｅ）に示した状態の当該工具２００を矢印方向に移動させる。これにより、絶縁電線１１０のヒレ１１４ａが剥ぎ取られる（図７（ｂ）および（ｃ）参照）。そして、当該工具２００を絶縁電線１１０の被覆１１４に沿って回転させることにより（図１１（ｂ）および（ｃ）参照）、剥ぎ取られたヒレ１１４ａが絶縁電線１１０から切り離され、収容空間２１８（２３８）に収納される。
【００７９】
上述したように弾性部材２６４の付勢により第１挟持部材２１０と第２挟持部材２３０とが絶縁電線１１０を挟持することで、当該工具２００は絶縁電線１１０に掛着された状態となる。これにより、当該工具２００の絶縁電線１１０からの脱落が防止され、安全にヒレ１１４ａの剥ぎ取り作業を行うことが可能となる。
【００８０】
また、当該工具が絶縁電線１１０に掛着された状態となることで、絶縁電線１１０の挟持後は当該工具２００の操作工具等による保持（固定）が不要となる。したがって、ヒレ剥ぎ取り作業を１人の作業者のみで行うことが可能となり、人工に要するコストを削減することが可能となる。
【００８１】
なお、電柱１００に張架されている絶縁電線１１０は捻れた状態で施設されている場合もあるため、図１０（ｄ）に示すようにヒレ１１４ａが絶縁電線１１０の上下に位置しているとは限らない。図１１は、絶縁電線１１０のヒレ１１４ａの位置の他の例を示す図である。例えば、図１１（ａ）に示すように、ヒレ１１４ａが絶縁電線１１０の側面に位置することも容易に想定される。そして、図１１（ａ）にしめす状態の絶縁電線１１０を第１挟持部材２１０および第２挟持部材２３０で挟持すると、図１１（ｂ）に示すようにヒレ１１４ａが溝部２１４および２３４に挿通されない状態となってしまう。
【００８２】
上記のような場合、絶縁電線１１０を挟持した後に、当該工具２００を図１１（ｂ）に示す矢印の方向に回転させる。これにより、図１１（ｃ）に示すようにヒレ１１４ａが溝部２１４および２３４に挿通され、ヒレ１１４ａを適切に剥ぎ取ることが可能となる。なお、工具２００の回転方向は図１１（ｂ）に示す矢印の方向に限定されず、ヒレ１１４ａの向きのよって適宜変更することが可能である。
【００８３】
図１２は、第１把持部材２６０および第２把持部材２６２の回転動作を示す図である。第１連結部材２７０は、第１挟持部材２１０と第１把持部材２６０とを連結するための部材である。第１連結部材２７０には軸２７２が立設されており、かかる軸２７２に第１把持部材２６０が回転可能に取り付けられている。
【００８４】
第２連結部材２８０は、第２挟持部材２３０と第２把持部材２６２とを連結するための部材である。第２連結部材２８０には軸２８２が立設されており、かかる軸２８２に第２把持部材２６２が回転可能に取り付けられている。
【００８５】
第１把持部材２６０は軸２７２を中心として、第２把持部材２６２は軸２８２を中心として、図１２（a）に示す矢印の方向に回転可能である。そして、第１把持部材２６０および第２把持部材２６２を図１２（ａ）の時計回りの矢印の方向に回転させると、第１把持部材２６０および第２把持部材２６２は図１２（ｂ）に示す状態となる。また、第１把持部材２６０および第２把持部材２６２を図１２（ａ）の反時計回りの矢印の方向に回転させると、第１把持部材２６０および第２把持部材２６２は図１２（ｃ）に示す状態となる。
【００８６】
かかる構成により、作業者は、当該工具２００の設置位置を変えることなく、ヤットコ３００の角度を所望の角度に変更することが可能となり、作業者はヤットコ３００を自身が作業しやすい角度に調節して作業を行うことができる。したがって、作業者の負担を軽減し、作業効率の向上を図ることができる。
【００８７】
また絶縁電線１１０が捻れている場合（図１１参照）等、ヒレ１１４ａの向きが変化する場合においても、当該工具２００に追従して第１把持部材２６０および第２把持部材２６２が回転する。このため、作業者はヤットコ３００の向きや自身の体勢を頻繁に変えることなく作業を行うことが可能となる。
【００８８】
上記説明したように、本実施形態にかかるヒレ剥ぎ取り工具２００によれば、第１挟持部材２１０および第２挟持部材２３０により挟持された絶縁電線１１０のヒレ１１４ａが、溝部２１４および２３４に挿通される。そして、かかる工具２００を絶縁電線１１０に沿って移動させることでヒレ１１４ａのみが切削刃２１６および２３６によって剥ぎ取られる。これにより、作業員の技能によることなく、簡便な操作でヒレ１１４ａのみを容易且つ正確に剥ぎ取ることが可能となる。したがって、ヒレ剥ぎ取り作業の作業性の向上を図ることができる。
【００８９】
なお、上記実施形態においては間接活線工法において使用する例について説明したが、本発明に係るヒレ剥ぎ取り工具はこれに限定するものではなく、直接活線工法にも用いることができる。すなわち、ヒレ付き電線からヒレを剥ぎ取る作業であれば、工法を問わずに本発明に係るヒレ剥ぎ取り工具を好適に利用することができる。
【００９０】
以上、添付図面を参照しながら本発明の好適な実施形態について説明したが、本発明はかかる実施形態に限定されないことは言うまでもない。当業者であれば、特許請求の範囲に記載された範疇内において、各種の変更例または修正例に想到し得ることは明らかであり、それらについても当然に本発明の技術的範囲に属するものと了解される。
【産業上の利用可能性】
【００９１】
本発明は、難着雪型の絶縁電線の被覆が有するヒレを剥ぎ取るためのヒレ剥ぎ取り工具およびヒレ剥ぎ取り方法として利用することができる。
【符号の説明】
【００９２】
１００  …電柱
１１０  …絶縁電線
１１２、１２２  …芯線
１１４、１２４  …被覆
１１４ａ  …ヒレ
１２０  …ＰＤ線
１３０  …変圧器
１４０  …接続部
１５０  …コネクタ
１５０ａ、１５０ｂ  …挿入孔
１５２  …第１部材
１５４  …第２部材
１５６  …ナット
１５６  …コネクタカバー
１６０  …絶縁テープ
１６２  …隙間
２００  …ヒレ剥ぎ取り工具
２１０  …第１挟持部材
２１２、２３２  …摺動面
２１４、２３４  …溝部
２１６、２３６  …切削刃
２１８、２３８  …収容空間
２２０、２４０  …間隙
２２２、２４２  …被覆部材
２３０  …第２挟持部材
２５０  …空間
２６０  …第１把持部材
２６０ａ、２６２ａ  …滑り止め
２６２  …第２把持部材
２６４  …弾性部材
２６６  …牽引部材
２７０  …第１連結部材
２８０  …第２連結部材
【図１】
2010178423.tif 000003
【図２】
2010178423.tif 000004
【図３】
2010178423.tif 000005
【図４】
2010178423.tif 000006
【図５】
2010178423.tif 000007
【図６】
2010178423.tif 000008
【図７】
2010178423.tif 000009
【図８】
2010178423.tif 000010
【図９】
2010178423.tif 000011
【図１０】
2010178423.tif 000012
【図１１】
2010178423.tif 000013
【図１２】
2010178423.tif 000014